(57)【特許請求の範囲】
【請求項１】
ケイ素ベースの第１の部分（１、２、３、４、５、６、７、８、９、１０、１１、１２、１３、１４、１５、１６、１７、１８、１９、２０、２２、２５、２７）及び金属ベースの第２の部分（１、２、３、４、５、６、７、８、９、１０、１１、１２、１３、１４、１５、１６、１７、１８、１９、２０、２２、２５、２７）を有する計時器用部品（２１）であって、
前記第１の部分の１つの表面（２４、２８、３０、３１）が前記第２の部分の表面にレーザータイプの電磁放射を用いて直接溶接されており、これによって、前記第１の部分と前記第２の部分が材料を加えずに固定されている
ことを特徴とする計時器用部品（２１）。
【請求項２】
前記ケイ素ベースの第１の部分は、単結晶ケイ素、ドープされた単結晶ケイ素、多結晶ケイ素、ドープされた多結晶ケイ素、多孔性ケイ素、酸化ケイ素、石英、シリカ、窒化ケイ素又は炭化ケイ素を有する
ことを特徴とする請求項１に記載の計時器用部品（２１）。
【請求項３】
前記ケイ素ベースの第１の部分は、さらに、酸化ケイ素、窒化ケイ素、炭化ケイ素又は炭素の同素体の少なくとも部分的な被覆を有する
ことを特徴とする請求項２に記載の計時器用部品（２１）。
【請求項４】
セラミックスベースの第１の部分（１、２、３、４、５、６、７、８、９、１０、１１、１２、１３、１４、１５、１６、１７、１８、１９、２０、２２、２５、２７）及び金属ベースの第２の部分（１、２、３、４、５、６、７、８、９、１０、１１、１２、１３、１４、１５、１６、１７、１８、１９、２０、２２、２５、２７）を有する計時器用部品（２１）であって、
前記第１の部分の１つの表面（２４、２８、３０、３１）が前記第２の部分の表面にレーザータイプの電磁放射を用いて直接溶接されており、これによって、前記第１の部分と前記第２の部分が材料を加えずに固定されている
ことを特徴とする計時器用部品（２１）。
【請求項５】
前記セラミックスベースの第１の部分は、光構造化可能なガラス、ケイ酸化ホウ素、ケイ酸化アルミニウム、石英ガラス、ゼロデュア、単結晶コランダム、多結晶コランダム、アルミナ、酸化アルミニウム、窒化アルミニウム、単結晶ルビー、多結晶ルビー、酸化ジルコニウム、酸化チタン、窒化チタン、炭化チタン、窒化タングステン、炭化タングステン、窒化ホウ素又は炭化ホウ素を有する
ことを特徴とする請求項４に記載の計時器用部品（２１）。
【請求項６】
前記セラミックスベースの第１の部分は、さらに、酸化ケイ素、窒化ケイ素、炭化ケイ素又は炭素の同素体の少なくとも部分的な被覆を有する
ことを特徴とする請求項５に記載の計時器用部品（２１）。
【請求項７】
前記第１の部分及び／又は前記第２の部分は、バランスばね（１、２２）、インパルスピン（２）、バランス（３、２７）、スタッフ（４、２５）、ローラー（５）、パレット（６）、パレットスタッフ（７）、パレットレバー（８）、パレットフォーク（９）、パレット石（１０）、ガードピン（１１）、車セット（１２）、車（１３）、アーバー（１４）、ピニオン（１５）、棒（１６）、プレート（１７）、振動する重量体（１８）、巻きステム（１９）、ベアリング又はジュエル穴（２０）を形成している
ことを特徴とする請求項１〜６のいずれかに記載の計時器用部品（２１）。
【請求項８】
前記第２の部分は、鉄合金、銅合金、ニッケル又はその合金、チタン又はその合金、金又はその合金、銀又はその合金、白金又はその合金、ルテニウム又はその合金、ロジウム又はその合金、又はパラジウム又はその合金を有する
ことを特徴とする請求項１〜７のいずれかに記載の計時器用部品（２１）。
【請求項９】
請求項１〜８のいずれかに記載の計時器用部品（２１）を有する
ことを特徴とする計時器。
【請求項１０】
計時器用部品（２１）を製造する方法であって、
ケイ素ベースの第１の部分（１、２、３、４、５、６、７、８、９、１０、１１、１２、１３、１４、２２、２３、２４、２５、２６、２７）及び金属ベースの第２の部分（１、２、３、４、５、６、７、８、９、１０、１１、１２、１３、１４、２２、２３、２４、２５、２６、２７）を形成するステップと、
前記第１の部分の表面（２８、２９、３０、３１、３２）を前記第２の部分の表面にマウントするステップと、
前記第２の部分の表面にマウントされた前記第１の部分の表面（２８、２９、３０、３１、３２）をレーザータイプの電磁放射を用いて直接溶接して、前記第１の部分と前記第２の部分どうしを材料を加えずに固定するステップと
を有することを特徴とする方法。
【請求項１１】
前記ケイ素ベースの第１の部分は、単結晶ケイ素、ドープされた単結晶ケイ素、多結晶ケイ素、ドープされた多結晶ケイ素、多孔性ケイ素、酸化ケイ素、石英、シリカ、窒化ケイ素又は炭化ケイ素を有する
ことを特徴とする請求項１０に記載の方法。
【請求項１２】
前記ケイ素ベースの第１の部分は、さらに、酸化ケイ素、窒化ケイ素、炭化ケイ素又は炭素の同素体の少なくとも部分的な被覆を有する
ことを特徴とする請求項１１に記載の方法。
【請求項１３】
計時器用部品（２１）を製造する方法であって、
セラミックスベースの第１の部分（１、２、３、４、５、６、７、８、９、１０、１１、１２、１３、１４、２２、２３、２４、２５、２６、２７）及び金属ベースの第２の部分（１、２、３、４、５、６、７、８、９、１０、１１、１２、１３、１４、２２、２３、２４、２５、２６、２７）を形成するステップと、
前記第１の部分の表面（２８、２９、３０、３１、３２）を前記第２の部分の表面にマウントするステップと、
前記第２の部分の表面にマウントされた前記第１の部分の表面（２８、２９、３０、３１、３２）をレーザータイプの電磁放射を用いて直接溶接して、前記第１の部分と前記第２の部分どうしを材料を加えずに固定するステップと
を有することを特徴とする方法。
【請求項１４】
前記セラミックスベースの第１の部分は、光構造化可能なガラス、ケイ酸化ホウ素、ケイ酸化アルミニウム、石英ガラス、ゼロデュア、単結晶コランダム、多結晶コランダム、アルミナ、酸化アルミニウム、窒化アルミニウム、単結晶ルビー、多結晶ルビー、酸化ジルコニウム、酸化チタン、窒化チタン、炭化チタン、窒化タングステン、炭化タングステン、窒化ホウ素又は炭化ホウ素を有する
ことを特徴とする請求項１３に記載の方法。
【請求項１５】
前記セラミックスベースの第１の部分は、さらに、酸化ケイ素、窒化ケイ素、炭化ケイ素又は炭素の同素体の少なくとも部分的な被覆を有する
ことを特徴とする請求項１４に記載の方法。
【請求項１６】
前記第１の部分と前記第２の部分（１、２、３、４、５、６、７、８、９、１０、１１、１２、１３、１４、２２、２３、２４、２５、２６、２７）の一方は、レーザータイプの電磁放射の波長を透過せず、これによって、前記第１の部分と前記第２の部分の表面どうしが隣接しているときに、前記第１の部分と前記第２の部分の表面どうしを溶接する
ことを特徴とする請求項１０〜１５のいずれかに記載の方法。
【請求項１７】
前記第１の部分と前記第２の部分（１、２、３、４、５、６、７、８、９、１０、１１、１２、１３、１４、２２、２３、２４、２５、２６、２７）が前記レーザータイプの電磁放射の波長を透過し、前記第１の部分と前記第２の部分の界面に中間的材料が載せられて、前記第１の部分と前記第２の部分を溶接するために十分に強く加熱する
ことを特徴とする請求項１０〜１５のいずれかに記載の方法。
【請求項１８】
前記第１の部分及び／又は前記第２の部分は、バランスばね（１、２２）、インパルスピン（２）、バランス（３、２７）、スタッフ（４、２５）、ローラー（５）、パレット（６）、パレットスタッフ（７）、パレットレバー（８）、パレットフォーク（９）、パレット石（１０）、ガードピン（１１）、車セット（１２）、車（１３）、アーバー（１４）、ピニオン（１５）、棒（１６）、プレート（１７）、振動する重量体（１８）、巻きステム（１９）、ベアリング又はジュエル穴（２０）を形成している
ことを特徴とする請求項１０〜１７のいずれかに記載の方法。
【請求項１９】
前記第２の部分は、鉄合金、銅合金、ニッケル又はその合金、チタン又はその合金、金又はその合金、銀又はその合金、白金又はその合金、ルテニウム又はその合金、ロジウム又はその合金、又はパラジウム又はその合金を有する
ことを特徴とする請求項１０〜１８のいずれかに記載の方法。
【発明の詳細な説明】
【技術分野】
【０００１】
本発明は、溶接材で作られた計時器用部品に関し、特に、ケイ素又はセラミックスベースの材料を有するものに関する。
【背景技術】
【０００２】
現状のケイ素ベースの部品を有するアセンブリーは、一般的に、接着結合によって固定される。この種の操作は、非常に繊細に行う必要があり、これによって高コストになる。
【０００３】
また、部品どうしの組み立てを可能にするために弾性変形領域を有するケイ素ベースの部品が開発されている。しかし、用途によっては、十分な接合力を維持するために接着結合が必要であることもある。
【０００４】
最後に、ケイ素ベースの部分を保護しつつ押し込まれることが意図された塑性変形が可能な中間的部分も開発されている。しかし、これらは必ずしも満足する結果を与えない。用途によっては、実装することが難しいからである。
【発明の概要】
【発明が解決しようとする課題】
【０００５】
本発明は、別の部分に直接電磁放射を用いて溶接され、例えば、金属又は金属合金である、ケイ素又はセラミックスベースの材料を有する部分によって形成される計時器用部品を提案することによって、前記課題のすべて又は一部を克服することを目的とする。
【課題を解決するための手段】
【０００６】
このため、第１の実施形態によれば、本発明は、ケイ素ベースの第１の部分及び金属ベースの第２の部分を有する計時器用部品であって、前記第１の部分の１つの表面が前記第２の部分の表面にレーザータイプの電磁放射を用いて溶接されて、前記第１の部分と前記第２の部分どうしが接合されるものに関する。
【０００７】
本発明によると、ケイ素ベースの第１の部分は、単結晶ケイ素、ドープされた単結晶ケイ素、多結晶ケイ素、ドープされた多結晶ケイ素、多孔性ケイ素、酸化ケイ素、石英、シリカ、窒化ケイ素又は炭化ケイ素を含む。
【０００８】
第２の実施形態によると、本発明は、セラミックスベースの第１の部分及び金属ベースの第２の部分を有する計時器用部品であって、前記第１の部分の１つの表面が前記第２の部分の表面にレーザータイプの電磁放射を用いて溶接されて、これらの表面どうしを接合するものに関する。
【０００９】
本発明によると、前記セラミックスベースの第１の部分は、光構造化可能なガラス、ケイ酸化ホウ素、ケイ酸化アルミニウム、石英ガラス、ゼロデュア、単結晶コランダム、多結晶コランダム、アルミナ、酸化アルミニウム、窒化アルミニウム、単結晶ルビー、多結晶ルビー、酸化ジルコニウム、酸化チタン、窒化チタン、炭化チタン、窒化タングステン、炭化タングステン、窒化ホウ素又は炭化ホウ素を含む。
【００１０】
好ましいことに、本発明の前記２つの実施形態によると、表面どうしを直接溶接することによって、接合部を実質的に目に見えなくする。レーザータイプの電磁放射が２つの部分の間の界面に直接作用するからである。結果的に、計時器用部品は複合タイプであり、破壊検査を行わないとどのように得られたかがわからない。好ましいことに、本発明によると、既に開発された部品を用いることができ、部品どうしの接合の接着が改善され、接着結合を用いる場合よりも長時間にわたって性能保証することができる。
【００１１】
最後に、セラミックスベースの部分又はケイ素ベースの部分は、組み立て時に壊れることを防ぐために弾性手段や塑性変形手段を有する必要はない。なぜなら、溶接によって、金属ベースの部分の表面にセラミックスベースの部分又はケイ素ベースの部分の表面が直接接合されるからである。腕時計製造の分野において、小型であること（弾性手段又は塑性変形手段のために付加的な体積を必要としない）及び堅牢性（材料間の溶接）の両方の観点から、即効的な利益があることは明らかである。
【００１２】
本発明の２つの実施形態の他の好ましい変種によると、
−  前記ケイ素ベース又は前記セラミックスベースの第１の部分は、さらに、酸化ケイ素、窒化ケイ素、炭化ケイ素又は炭素の同素体の少なくとも部分的な被覆を有する。
−  前記第１の部分及び／又は前記第２の部分は、バランスばね、インパルスピン、バランス、スタッフ、ローラー、パレット、パレットスタッフ、パレットレバー、パレットフォーク、パレット石、ガードピン、車セット、車、アーバー、ピニオン、棒、プレート、振動する重量体、巻きステム、ベアリング又はジュエル穴を形成している。
−  前記第２の部分は、鉄合金、銅合金、ニッケル又はその合金、チタン又はその合金、金又はその合金、銀又はその合金、白金又はその合金、ルテニウム又はその合金、ロジウム又はその合金、又はパラジウム又はその合金を有する
【００１３】
また、本発明は、前記変種のいずれかの計時器用部品を有することを特徴とする計時器に関する。
【００１４】
また、本発明は、計時器のための第１の実施形態に係る計時器用部品を製造する方法であって、
−  ケイ素ベースの第１の部分及び金属ベースの第２の部分を形成するステップと、
−  前記第１の部分の表面を前記第２の部分の表面にマウントするステップと、
−  前記第２の部分の表面にマウントされた前記第１の部分の表面をレーザータイプの電磁放射を用いて溶接して、前記第１の部分と前記第２の部分どうしを接合又は固定するステップと
を有する方法に関する。
【００１５】
最後に、本発明は、計時器のための第２の実施形態に係る計時器用部品を製造する方法であって、
−  セラミックスベースの第１の部分及び金属ベースの第２の部分を形成するステップと、
−  前記第１の部分の表面を前記第２の部分の表面にマウントするステップと、
−  前記第２の部分の表面にマウントされた前記第１の部分の表面をレーザータイプの電磁放射を用いて溶接して、前記第１の部分と前記第２の部分どうしを接合又は固定するステップと
を有する方法に関する。
【００１６】
好ましいことに、前記２つの実施形態によると、本方法は、単純であり、迅速に行うことができ、２つの材料を接合するために材料を加えたり第１の部分と第２部分に接合力を与えたりすることが必要ではないことを理解することができるであろう。また、レーザータイプの電磁放射によって、溶接される領域の位置及び形（平坦である、傾斜している、まっすぐではないなど）についての柔軟性が大きくなる。したがって、既に開発された部品を用いることができ、部品どうしの接合の接着が改善され、接着結合を用いる場合よりも長時間にわたって性能保証することができる。
【００１７】
本発明の２つの実施形態の他の好ましい変種によると、
−  前記ケイ素ベース又は前記セラミックスベースの第１の部分は、さらに、酸化ケイ素、窒化ケイ素、炭化ケイ素又は炭素の同素体の少なくとも部分的な被覆を有する。
−  第１の部分と第２の部分の一方が前記レーザータイプの電磁放射の波長を透過せず、これによって、第１の部分と第２の部分が隣接しているときに前記第１の部分と第２の部分の表面どうしを溶接できるようにする。
−  前記第１の部分と前記第２の部分が前記レーザータイプの電磁放射の波長を透過し、前記第１の部分と前記第２の部分の界面に中間的材料が載せられて、前記第１の部分と前記第２の部分を溶接するために十分に強く加熱する。
−  前記第１の部分及び／又は前記第２の部分は、バランスばね、インパルスピン、バランス、スタッフ、ローラー、パレット、パレットスタッフ、パレットレバー、パレットフォーク、パレット石、ガードピン、車セット、車、アーバー、ピニオン、棒、プレート、振動する重量体、巻きステム、ベアリング又はジュエル穴を形成している。
−  前記第２の部分は、鉄合金、銅合金、ニッケル合金、チタン又はその合金、金又はその合金、銀又はその合金、白金又はその合金、ルテニウム又はその合金、ロジウム又はその合金、又はパラジウム又はその合金を有する。
【００１８】
図面を参照しながら下の詳細な説明を読むことによって、他の特徴や利点がわかるであろう。ただし、これに制限されない。
【図面の簡単な説明】
【００１９】
【図１】本発明に係る計時器用部品の斜視図である。
【図２】本発明に係る計時器用部品の断面図である。
【発明を実施するための形態】
【００２０】
上で説明したように、本発明は、使用可能な可塑範囲がない、すなわち、非常に限られた可塑範囲の材料で作られた部分と、同じ種類の材料又は異なる種類の材料を有する第２の部分とを用いて形成された計時器用部品に関する。
【００２１】
この部品は、測時技術の分野の用途のために開発されたものであり、ケイ素ベース又はセラミックスベースの材料のような脆弱な材料が用いられる部分が増加しているために必要になっている。例えば、脆弱な材料に完全に又は部分的に基づいて、バランスばね、バランス、パレット、棒、振動する重量体を形成すること、又はエスケープ車のような車セットも形成することを想到することができる。
【００２２】
しかし、製造方法が熟練されている鋼製アーバーのような通常の部品を常に使用しなければならず、このことは、可塑範囲がない部分を使用することと折り合いをつけることが難しいような制約となる。実際に、試験を行ったときに、綱製アーバーを脆い部分に押し込むことができなかった。脆い部分、すなわち、使用可能な可塑領域のない部分、を一律に壊したからである。例えば、二酸化ケイ素で被覆された単結晶ケイ素部分に設けられた孔に金属アーバーを挿入するとせん断が発生し、これが単結晶ケイ素部分を一律に壊すことがわかった。
【００２３】
このため、第１の実施形態によれば、本発明は、ケイ素ベースの第１の部分及び金属ベースの第２の部分を有する計時器用部品であって、前記第１の部分の１つの表面が前記第２の部分の表面にレーザータイプの電磁放射を用いて溶接されて、前記第１の部分と前記第２の部分どうしが接合して固定されるものに関する。
【００２４】
好ましいことに、本発明によると、接着結合の場合で必要となるように前記２つの部分を接合するために材料を加えたり、中間的な部分を使用したりすることは必要ではないことを理解できるであろう。また、前記第１の部分に特定構造を形成して前記第２の部分の中に前記第１の部分を入れて組み立てることができるようにすることも必要ではない。したがって、例えば、対応する断面を有するアーバーとの連係が可能になる単純な穴で十分である。この穴は、第１の部分又は第２の部分に形成される。
【００２５】
したがって、既に開発された部品を用いて、レーザータイプの電磁放射を用いて溶接することができる。これによって、接着が改善され、接着結合を用いる場合よりも長時間にわたっての性能保証を行うことができる。最後に、表面どうしを直接溶接することによって、接合部が実質的に目に見えなくなる。実際に、第１の部分と第２の部分の一方が不透明であり、他方が前記レーザータイプの電磁放射の波長を透過するようであれば十分である。これによって、第１の部分と第２の部分が隣接しているときに前記第１の部分と第２の部分の表面どうしを溶接できるようにする。このようなレーザータイプの電磁放射を用いる溶接は、例えば、欧州特許ＥＰ１４３６８３０において説明されている。この文献を、参照によって本明細書に組み入れる。さらに、欧州特許ＥＰ１４３６８３０にて説明されているように、第１の部分と第２の部分がレーザータイプの電磁放射の波長に対して透過性がある場合、随意的に、これらの２つの材料の間の接合を増強させるように意図された中間的材料を使用することができる。この場合、この中間的材料は、２つの材料を融解させるように十分に強く加熱することを意図された層を形成する。
【００２６】
第１の実施形態によると、ケイ素ベースの第１の部分は、好ましくは、単結晶ケイ素、ドープされた単結晶ケイ素、多結晶ケイ素、ドープされた多結晶ケイ素、多孔性ケイ素、酸化ケイ素、石英、シリカ、窒化ケイ素又は炭化ケイ素を有する。また、ケイ素ベースの第１の部分は、さらに、計時器用部品の意図した用途に依存して、随意的に、酸化ケイ素、窒化ケイ素、炭化ケイ素又は炭素の同素体の少なくとも部分的な被覆を有することができる。
【００２７】
第２の実施形態によると、本発明は、セラミックスベースの第１の部分及び金属ベースの第２の部分を有する計時器用部品であって、前記第１の部分の１つの表面が前記第２の部分の表面にレーザータイプの電磁放射を用いて溶接されて、これらの表面どうしを接合するものに関する。
【００２８】
好ましいことに、本発明によると、２つの部分を接合するために、接着結合の場合に必要となるように材料を加えたり、中間部を使用したりすることは必要ではない。また、特定の構造を形成して第２の部分の中に第１の部分を入れて組み立てることも必要ではない。したがって、例えば、対応する断面を有するアーバーとの連係が可能になる単純な穴で十分である。この穴は、第１の部分又は第２の部分に形成される。
【００２９】
したがって、既に開発された部品を用いて、レーザータイプの電磁放射を用いて溶接することができる。これによって、接着が改善され、接着結合を用いる場合よりも長時間にわたっての性能保証を改善することができる。最後に、表面どうしを直接溶接することによって、接合部が実質的に目に見えなくなる。実際に、第１の部分と第２の部分の一方が不透明であり、他方が前記レーザータイプの電磁放射の波長を透過するようであれば十分である。これによって、第１の部分と第２の部分が隣接しているときに前記第１の部分と第２の部分の表面どうしを溶接できるようにする。このようなレーザータイプの電磁放射を用いる溶接は、例えば、欧州特許ＥＰ１４３６８３０において説明されている。この文献を、参照によって本明細書に組み入れる。さらに、欧州特許ＥＰ１４３６８３０にて説明されているように、第１の部分と第２の部分がレーザータイプの電磁放射の波長に対して透過性がある場合、随意的に、これらの２つの材料の間の接合を増強させるように意図された中間的材料を使用することができる。この場合、この中間的材料は、２つの材料を融解させるように十分に強く加熱することを意図された層を形成する。
【００３０】
第２の実施形態によると、セラミックスベースの第１の部分は、好ましくは、光構造化可能なガラス、ケイ酸化ホウ素、ケイ酸化アルミニウム、石英ガラス、ゼロデュア、単結晶コランダム、多結晶コランダム、アルミナ、酸化アルミニウム、窒化アルミニウム、単結晶ルビー、多結晶ルビー、酸化ジルコニウム、酸化チタン、窒化チタン、炭化チタン、窒化タングステン、炭化タングステン、窒化ホウ素又は炭化ホウ素を有する。また、セラミックスベースの第１の部分は、さらに、計時器用部品の意図した用途に依存して、随意的に、酸化ケイ素、窒化ケイ素、炭化ケイ素又は炭素の同素体の少なくとも部分的な被覆を有することができる。
【００３１】
前記２つの実施形態によると、第２の部分は、好ましくは、１５Ｐ、２０ＡＰ又は３１６Ｌの鋼のような鉄合金、黄銅のような銅合金、洋銀のようなニッケル合金、チタン又はその合金、金又はその合金、銀又はその合金、白金又はその合金、ルテニウム又はその合金、ロジウム又はその合金、又はパラジウム又はその合金を有する。
【００３２】
本発明の前記２つの実施形態によると、第１の部分及び／又は第２の部分は、計時器用の種々様々な計時器用部品を形成することができる。例えば（これに制限されない）、図１を参照すると、第１の部分及び／又は第２の部分は、特に、バランスばね１、インパルスピン２、バランス３、スタッフ４、ローラー５、パレットスタッフ７のようなパレット６、パレットレバー８、パレットフォーク９、パレット石１０及びガードピン１１、車１３のような車セット１２、アーバー１４及びピニオン１５、棒１６、プレート１７、振動する重量体１８、巻きステム１９又はジュエル穴２０を形成することができる。
【００３３】
例えば、図２は、スタッフ２５のまわりを回転するようにマウントされるばね仕掛けバランス共振器２３を形成している計時器用部品２１を示している。バランスばね２１は、いくつかのコイル巻きを形成するように延在している細長片を有し、コレット２６によってスタッフ２５の第１の肩部２４にマウントされる。スタッフ２５の第２の肩部２８にハブ２９によってバランス２７がマウントされる。
【００３４】
したがって、例えば、バランスばね２２及び／又はバランス２７にそれぞれ対向している肩部２４、２８及び／又は円筒状表面３０、３１に直接、レーザーのような電磁放射を用いることによってスタッフ２５を溶接することができることを理解することができるであろう。スタッフ２５、又はバランスばね２２及び／又はバランス２７のいずれかが、前記レーザータイプの電磁放射の波長を透過すれば、接触面を溶接するためには十分である。もちろん、傾斜面やまっすぐでない表面のような他の種類の接触面を設けることができる。
【００３５】
本発明は、図示した例に制限されず、当業者が想到することができる様々な変種及び改変が可能である。具体的には、第２の部分は、金属又は金属合金ではないタイプの材料で作られていることができる。したがって、第２の部分も、セラミックス又は半導体材料である第１の部分と同じ材料で作られていることができる。ただし、これには制限されない。
【００３６】
しかし、この場合、欧州特許ＥＰ１４３６８３０にて説明されているように、第１の部分と第２の部分がレーザータイプの電磁放射の波長を透過する場合、随意的に、前記２つの材料の間の接合を増強させるように意図された中間的材料を使用しなければならない。この場合、実際に、この中間的材料は、十分に強く加熱して、前記レーザータイプの電磁放射の波長を透過する前記２つの材料を融解させるように意図された層を形成する。
【００３７】
上で説明したように、第１の部分及び／又は第２の部分は、様々な計時器用部品を形成することができる。図２における付加的な例によって、パレット６は、パレットレバー８、パレット石１０及びパレットフォーク９を形成している第１の部分によって、及びスタッフ７を形成している第１の第２の部分、及びガードピン１１を形成している第２の第２の部分によって、形成することができる。車セット１２は、アーバー１４及びピニオン１５を形成している第１の部分によって、及び車１３を形成している第２の部分によって、形成することができる。共振器アセンブリーは、空洞が設けられたケースを形成している第１の部分によって、音叉共振器を形成する第１の第２の部分によって、及びケース内の共振器を囲むカバーを形成する第２の第２の部分によって、形成することができる。
【００３８】
また、第１の部分は、ローラー５を形成して、インパルスピン２を形成する第２の部分に接合していることができ、第１の部分は、プレート１７又は棒１６を形成して、ジュエル穴２０を形成するいくつかの第２の部分に接合していることができ、又は、第１の部分は、振動する重量体１８を形成して、ベアリングケージを形成する第２の部分に接合していることができる。
【００３９】
最後に、前記の随意的な少なくとも部分的な被覆は、酸化ケイ素、窒化ケイ素、炭化ケイ素又は炭素の同素体に制限されない。したがって、計時器用部品の意図した用途に応じて、例えば、計時器用部品の摩擦的、熱的、外観的な品質を改善するために、他の材料を用いることを想到することができる。例えば、少なくとも部分的な熱補償被覆を堆積させることができる。
【図１】
0006298578.tif 000002
【図２】
0006298578.tif 000003